(57)【要約】【課題】  画像の撮影または再生に係る操作を、誤操作が少なく操作性良く行うことのできる入力制御装置を提供する。【解決手段】  入力面の所定の領域を有する位置に対応させて一の操作部を表示する操作部表示手段（２１）と、入力面のうち、一の操作部を表す表示位置に異なる外観表面を有する領域を配置し、この各領域における位置の入力を検出する入力検出手段（２３）と、表示された一の操作部に対応する異なる外観表面を有する各領域における位置の検出結果に基づいて操作入力を制御する操作入力制御手段（３０）とを備えた入力制御装置である。【選択図】    図２
2006201466.tif 000002
【特許請求の範囲】
【請求項１】
画像の撮影または再生に係る操作を行う入力面を有する入力制御装置であって、
上記入力面の所定の領域を有する位置に対応させて一の操作部を表示する操作部表示手段と、
上記入力面のうち、上記一の操作部を表す表示位置に異なる外観表面を有する領域を配置し、この各領域における位置の入力を検出する入力検出手段と、
上記表示された一の操作部に対応する異なる外観表面を有する各領域における位置の検出結果に基づいて操作入力を制御する操作入力制御手段と
を備えたことを特徴とする入力制御装置。
【請求項２】
画像の撮影または再生に係る操作を行う入力面を有する入力制御装置であって、
上記入力面の所定の領域を有する位置に対応させて一の操作部を表示する操作部表示手段と、
上記入力面のうち、上記一の操作部を表す表示位置に少なくとも２つの外観表面を有する領域を配置し、一方の領域における位置の入力を第１の指示入力、他方の領域における位置の入力を第２の指示入力として検出する入力検出手段と、
上記第１の指示入力及び第２の指示入力に基づいて操作入力を制御する操作入力制御手段と
を備えたことを特徴とする入力制御装置。
【請求項３】
画像の撮影または再生に係る操作を行う入力面を有する入力制御装置であって、
上記入力面の所定の領域を有する位置に対応させて一の操作部を表示する操作部表示手段と、
上記入力面のうち、上記一の操作部に対応する入力面が立体形状をなし、この立体の一つの斜面には表面の粗度が他の面とは異なる外観表面を有する入力検出手段と、
上記表示された一の操作部に対応する異なる外観表面を有する各領域における位置の検出結果に基づいて操作入力を制御する操作入力制御手段と
を備えたことを特徴とする入力制御装置。
【請求項４】
上記異なる外観表面を有する領域は、上記一の操作部の領域内で偏った位置に設けられることを特徴とする請求項１に記載の入力制御装置。
【請求項５】
上記操作部を２つ並べて配置する場合には、上記異なる表面外観を有する領域を互いに離れる方向に偏った位置に設けることを特徴とする請求項４に記載の入力制御装置。
【請求項６】
上記操作入力制御手段は、上記入力面に施された処理のうち、第一の処理が施された部分への入力が検出された場合にはこの入力位置に対応した機能に係る表示を行い、続いてこの表示後に第二の処理が施された部分への入力が検出された場合は、その都度表示された機能の設定内容を更新するようになされたことを特徴とする請求項１に記載の入力制御装置。
【請求項７】
上記操作入力制御手段は、上記入力面に施された処理のうち、第一の処理が施された部分または第二の処理が施された部分への入力が検出された場合には各入力位置に対応した機能に係る表示を行うとともに表示された機能の設定内容を更新するようになされたことを特徴とする請求項１に記載の入力制御装置。
【請求項８】
上記操作入力制御手段は、上記入力面に施された処理のうち、第一の処理が施された部分および第二の処理が施された部分への入力が所定時間継続して検出されない場合には上記各入力位置に対応した機能に係る表示を止めるようになされたことを特徴とする請求項１に記載の入力制御装置。
【請求項９】
撮影に係る操作指示を検出する検出手段を更に有し、
上記検出手段の検出結果に応じて上記操作入力制御手段による入力の認識に係る応答を切換えることを特徴とする請求項１または３に記載の入力制御装置。
【請求項１０】
上記検出手段により撮影に係る操作指示を検出されたときは、上記操作入力制御手段により入力の認識感度を低くすることを特徴とする請求項９に記載の入力制御装置。
【請求項１１】
画像の撮影または再生に係る操作を行う入力面を有する入力制御装置であって、
上記入力面の所定の領域を有する位置に対応させて一の操作部を表示する操作部表示手段と、
上記入力面のうち、上記一の操作部を表す表示位置に異なる外観表面を有する領域を配置し、この各領域における位置の入力を検出する入力検出手段と、
上記表示された一の操作部に対応する異なる外観表面を有する各領域における位置の検出結果に基づいて操作入力を制御する操作入力制御手段とを有し、
撮影動作または再生動作の状態に応じて上記操作入力制御手段による入力の認識に係る応答を切換えることを特徴とする入力制御装置。
【請求項１２】
上記撮影または再生に係る操作は、ストロボ設定、撮影レンズ設定、露出設定のうちの少なくとも一つを含むことを特徴とする請求項１に記載の入力制御装置。
【請求項１３】
上記外観表面として少なくとも粗面を有し、この粗面を上記位置の操作部の領域内で偏った位置に設けられることを特徴とする請求項４に記載の入力制御装置。
【発明の詳細な説明】
【技術分野】
【０００１】
本発明は、画像の撮影または再生に係る操作を、誤操作が少なく操作性良く行うことのできる入力制御装置に関する。
【背景技術】
【０００２】
デジタルカメラには、デジタル技術を活かして多くの様々な機能が搭載されている。しかしながら、種々の機能が実現可能となっている反面、その機能を使用するための操作パネルには、搭載した機能に見合う多数の操作ボタンが必要とされる。このため、入力装置にタッチパネル式の操作パネルを用い、操作内容に対応して操作部材の表示を変更する技術が知られている。一方、タッチパネルはタッチパネル面に接触した指などの位置を検知するものであるため、指が正規の位置からずれることによる誤操作を生じ易いという問題が指摘されている。
【０００３】
そこで、特許文献１には、タッチパネルに表示される領域を複数のエリアに分割して、複数のそれぞれのエリアに識別用のマーキングを設ける技術が開示されている。
【特許文献１】特開２００４−１４２２５４号公報
【発明の開示】
【発明が解決しようとする課題】
【０００４】
ところで、通常のタッチパネルでは、表示されたボタンに触れることによってその表示ボタンを選択し、あるいは確定したこととなるため、操作感が希薄である。特許文献１においても、このことを認めた上で、タッチパネル部以外の部分に確定ボタンを設け、この確定ボタンを押下することで選択の確定、決定を行うべきことが明記されている。
【０００５】
しかしながら、選択を操作する部位と確定を操作する部位とを分離して設けることは、操作手順を増加させることになるため、操作性を悪化させることにつながると考えられるが、特許文献１には、この課題の解決を図るための記載、解決を示唆する記載はされていない。
【０００６】
本発明は係る事情に鑑みてなされたものであって、画像の撮影または再生に係る操作を、誤操作が少なく操作性良く行うことのできる入力制御装置を提供することを目的とする。
【課題を解決するための手段】
【０００７】
上記課題を解決するための、本発明に係る請求項１に記載の入力制御装置は、画像の撮影または再生に係る操作を行う入力面を有する入力制御装置であって、上記入力面の所定の領域を有する位置に対応させて一の操作部を表示する操作部表示手段と、上記入力面のうち、上記一の操作部を表す表示位置に異なる外観表面を有する領域を配置し、この各領域における位置の入力を検出する入力検出手段と、上記表示された一の操作部に対応する異なる外観表面を有する各領域における位置の検出結果に基づいて操作入力を制御する操作入力制御手段とを備えた。
【０００８】
また本発明に係る請求項２に記載の入力制御装置は、画像の撮影または再生に係る操作を行う入力面を有する入力制御装置であって、上記入力面の所定の領域を有する位置に対応させて一の操作部を表示する操作部表示手段と、上記入力面のうち、上記一の操作部を表す表示位置に少なくとも２つの外観表面を有する領域を配置し、一方の領域における位置の入力を第１の指示入力、他方の領域における位置の入力を第２の指示入力として検出する入力検出手段と、上記第１の指示入力及び第２の指示入力に基づいて操作入力を制御する操作入力制御手段とを備えた。
【０００９】
また本発明に係る請求項３に記載の入力制御装置は、画像の撮影または再生に係る操作を行う入力面を有する入力制御装置であって、上記入力面の所定の領域を有する位置に対応させて一の操作部を表示する操作部表示手段と、上記入力面のうち、上記一の操作部に対応する入力面が立体形状をなし、この立体の一つの斜面には表面の粗度が他の面とは異なる外観表面を有する入力検出手段と、上記表示された一の操作部に対応する異なる外観表面を有する各領域における位置の検出結果に基づいて操作入力を制御する操作入力制御手段とを備えた。
【００１０】
また本発明に係る請求項４に記載の入力制御装置は、上記記載の発明である入力制御装置において、上記異なる外観表面を有する領域は、上記一の操作部の領域内で偏った位置に設けられる。
【００１１】
また本発明に係る請求項５に記載の入力制御装置は、上記記載の発明である入力制御装置において、上記操作部を２つ並べて配置する場合には、上記異なる表面外観を有する領域を互いに離れる方向に偏った位置に設ける。
【００１２】
また本発明に係る請求項６に記載の入力制御装置は、上記記載の発明である入力制御装置において、上記操作入力制御手段は、上記入力面に施された処理のうち、第一の処理が施された部分への入力が検出された場合にはこの入力位置に対応した機能に係る表示を行い、続いてこの表示後に第二の処理が施された部分への入力が検出された場合は、その都度表示された機能の設定内容を更新するようになされた。
【００１３】
また本発明に係る請求項７に記載の入力制御装置は、上記記載の発明である入力制御装置において、上記操作入力制御手段は、上記入力面に施された処理のうち、第一の処理が施された部分または第二の処理が施された部分への入力が検出された場合には各入力位置に対応した機能に係る表示を行うとともに表示された機能の設定内容を更新するようになされた。
【００１４】
また本発明に係る請求項８に記載の入力制御装置は、上記記載の発明である入力制御装置において、上記操作入力制御手段は、上記入力面に施された処理のうち、第一の処理が施された部分および第二の処理が施された部分への入力が所定時間継続して検出されない場合には上記各入力位置に対応した機能に係る表示を止めるようになされた。
【００１５】
また本発明に係る請求項９に記載の入力制御装置は、上記記載の発明である入力制御装置において、撮影に係る操作指示を検出する検出手段を更に有し、上記検出手段の検出結果に応じて上記操作入力制御手段による入力の認識に係る応答を切換える。
【００１６】
また本発明に係る請求項１０に記載の入力制御装置は、上記記載の発明である入力制御装置において、上記検出手段により撮影に係る操作指示を検出されたときは、上記操作入力制御手段により入力の認識感度を低くする。
【００１７】
また本発明に係る請求項１１に記載の入力制御装置は、画像の撮影または再生に係る操作を行う入力面を有する入力制御装置であって、上記入力面の所定の領域を有する位置に対応させて一の操作部を表示する操作部表示手段と、上記入力面のうち、上記一の操作部を表す表示位置に異なる外観表面を有する領域を配置し、この各領域における位置の入力を検出する入力検出手段と、上記表示された一の操作部に対応する異なる外観表面を有する各領域における位置の検出結果に基づいて操作入力を制御する操作入力制御手段とを有し、撮影動作または再生動作の状態に応じて上記操作入力制御手段による入力の認識に係る応答を切換える。
【００１８】
また本発明に係る請求項１２に記載の入力制御装置は、上記記載の発明である入力制御装置において、上記撮影または再生に係る操作は、ストロボ設定、撮影レンズ設定、露出設定のうちの少なくとも一つを含む。
【００１９】
また本発明に係る請求項１３に記載の入力制御装置は、上記記載の発明である入力制御装置において、上記外観表面として少なくとも粗面を有し、この粗面を上記位置の操作部の領域内で偏った位置に設けられる。
【発明の効果】
【００２０】
本発明によれば、画像の撮影または再生に係る操作を、誤操作が少なく操作性良く行うことができる。
【発明を実施するための最良の形態】
【００２１】
まず、本発明に係る入力制御装置で使用するタッチパネルについて説明する。
【００２２】
図１は、抵抗膜方式のタッチパネルの原理を説明する図である。タッチパネルは、ガラスとそのガラスを覆う透明のフィルムで構成されている。このガラスとフィルムの対向するそれぞれの面には透明導電物質であるＩＴＯ（インジュウム錫酸化物）が電極格子を形成して設けられている。
【００２３】
通常では、ガラスとフィルムとは離れているが、フィルムを指またはペン等で押し下げることにより、ガラスとフィルムとの導電膜が接触して導通回路が形成される。従って、ガラス面とフィルム面のそれぞれの電極格子の抵抗による分圧を測定することで、押された平面内の位置（ＸＹ座標）を検出することができる。
【００２４】
このタッチパネルを複数の操作部位を配置して表示する表示部（例えば、ＴＦＴ液晶）上に設け、上述の方法によって押された位置を検出することで、ユーザが操作した部位を特定することができる。即ち、タッチパネルなどのポインティングデバイスは表示部と組み合わせることにより所定の操作機能を有する操作入力手段として使用することができる。
【００２５】
なお、本発明で使用するタッチパネルは、ここで説明した抵抗膜方式に限られず、公知のタッチパネルである、超音波表面弾性波方式、赤外線遮光方式、静電容量方式、電磁誘導方式のタッチパネルを用いても良い。また、表示部は、例えば、ＴＦＴ液晶の他に電源を切っても表示画像が消えないメモリ性液晶表示素子を用いても良い。
【００２６】
以下、デジタルカメラを例として、本発明に係る入力制御装置の種々の実施の形態について説明する。
【００２７】
［第１の実施の形態］
図２は、第１の実施の形態の入力制御装置を備えたデジタルカメラ１の構成を示すブロック図である。
【００２８】
デジタルカメラ１は、撮影レンズ系１１、撮像素子１２、撮像回路１３、ＡＥ１５、ＡＦ１６、画像処理回路１７、着脱メモリ１８、表示部２１、表示駆動回路２２、タッチパネル２３、内蔵メモリ２５、パワーＳＷ２６、モードＳＷ２７、操作部材２８、ＣＰＵ３０、電池３１及び電源回路３２を備えている。
【００２９】
撮影レンズ系１１はズーム光学系、絞り部、オートフォーカス光学系などを備えている。撮像素子１２は、例えば数百万画素からなる受光部を有し、撮影レンズ系１１を介して入射した被写体像を電気信号に変換する。撮像回路１３は、ＡＧＣ（自動利得制御）処理、及びＣＤＳ（相関２重サンプリング）処理などの信号処理を画像データに施す。ＡＥ１５は、画像データを基に自動露出演算を実行する。ＡＦ１６は、画像データを基に自動焦点演算を実行する。
【００３０】
画像処理回路１７ではＹ（輝度）／Ｃ（色）生成処理、適切な色バランスを有するＲＧＢ信号に関する色マトリクス処理等の処理が施される。着脱メモリ１８は、画像データを格納する記録媒体である。
【００３１】
表示部２１は、タッチパネル用の複数の操作部位を配置して表示する。表示駆動回路２２は、表示部２１の表示動作を制御する。タッチパネル２３は、ユーザが操作した面上の位置を検知する。入力部２４は、表示部２１、表示駆動回路２２、タッチパネル２３を組み合わせることにより構成され、操作入力手段として機能することができる。
【００３２】
内蔵メモリ２５は、種々のデータを保存する。パワーＳＷ２６は、デジタルカメラ１の電源をオン／オフする。モードＳＷ２７は、ユーザを特定するための情報（初心者、上級者）、デジタルカメラの動作モード（通信モード、再生モード、撮影モード）を入力するためのスイッチである。操作部材２８は、レリーズボタンなど所定の機能を専用に操作するための部材である。
【００３３】
ＣＰＵ３０は、デジタルカメラ１の動作を統括して制御する。電池３１、電源回路３２は、デジタルカメラ１の各部に電源を供給する。
【００３４】
次に、第１の実施の形態に係る入力制御装置の動作について説明する。
【００３５】
図３は、デジタルカメラ１の背面図である。デジタルカメラ１の背面には、入力部２４、モードＳＷ２７、液晶モニタ３５、ファインダ３６及びレリーズボタン３７が備えられている。そして、モードＳＷ２７には、使用者モードＳＷ２７ａと動作モードＳＷ２７ｂとが設けられている。
【００３６】
図３では、使用者モードＳＷ２７ａは「初心者モード」に設定され、動作モードＳＷ２７ｂは「撮影モード」に設定されている。「初心者モード」は、特殊な機能を使用せずに基本的な機能を用いた撮影を行うときに使用するモードである。この「初心者モード」を選択することにより、入力部２４には、操作部材として、「ＺＯＯＭ」、「フラッシュ」、「セルフタイマ」、「マクロ」、「十字キー」、「メニュー」、「決定」が表示される。また、動作モードＳＷ２７ｂを「撮影モード」に設定することにより、液晶モニタ３５には、被写体のスルー画像が表示される。
【００３７】
ユーザが入力部２４の「フラッシュ」を押すごとに、フラッシュ撮影の使用禁止と解除とを指示することができる。図４の液晶モニタ３５には、フラッシュ撮影が禁止されている旨の表示がされている。
【００３８】
ユーザが入力部２４の「メニュー」を押すと、図５の液晶モニタ３５には、メニュー画面が表示される。ユーザは入力部２４の「十字キー」、「決定」を操作することにより、「撮影」、「編集」、「メモリカード」、「設定」の各タブを選択して所望の処理を実行することができる。
【００３９】
図６には、使用者モードＳＷ２７ａを「上級者モード」に設定した状態を示している。入力部２４には、基本機能に関する操作部材に加え、新たに操作部材として、「ドライブ」、「測光」、「露出補正」、「ＩＳＯ」が表示される。これによりユーザは特殊な条件での撮影、連写撮影、露出・感度を設定した撮影等を実行することができる。
【００４０】
図７は、入力部２４の構成を示す図である。図７（１）は、入力部２４の平面図であり、図７（２）は、入力部２４の矢視ＡＡに沿った断面図である。
【００４１】
それぞれの操作部材は凸形の立体形状をなし、図中ハッチングで表されている一部の領域７０は、他の領域と表面の粗さが異なっている。そこでユーザは、入力部２４の凸部を検知することで操作部材の位置を探り、さらにその操作部材の領域７０に接触することで所望の操作を行うことができる。操作部材が単に凸形状のみが異なる場合、あるいは表面粗さのみが異なる場合は、ブラインドタッチで操作部材を探しているうちに、接触して操作を入力してしまう恐れがあったが、この構成によれば、そのような誤操作を回避することができる。なお、操作部材の形状は、凸形に限られず、凹凸の形状であっても良い。
【００４２】
更に、図７（１）に示すように、領域７０をその操作部材の中央から離れた位置、例えば、端の方向に偏った位置に設けることで、凸部の操作中にうっかりとして領域７０に接触するなどの誤操作を低減することができる。また、横方向に並んで配設された操作部材については、図（１）に示すように、領域７０同士を互いに離して設けることで、誤操作を更に低減することができる。
【００４３】
続いて、上述の操作部材による操作処理手順について、図４に示す撮影条件選択処理を例として説明する。図４に示す撮影条件選択処理では、「フラッシュ」、「セルフタイマ」、「マクロ」を選択すると、その操作部材に対応した撮影条件が入力部２４の表示部２１に表示され、さらにその撮影条件のうちの特定の撮影機能を選択することができる。
【００４４】
図８は、撮影条件表示選択操作の処理手順を示すフロー図である。
【００４５】
ステップＳ０１において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ０２で撮影操作を待機する状態になる。
【００４６】
ステップＳ０３〜Ｓ０４において、ユーザが操作部材の凸部に触れたときは、液晶モニタ３５にその操作部材に対応した機能メニューを表示する。ステップＳ０５〜Ｓ０６において、ユーザがその操作部材の領域７０に触れたときは、その領域７０に接触する毎にメニューに設けられた機能が択一的に変更して選択される。例えば、図４では、フラッシュの使用可能と使用禁止とが交互に選択される。
【００４７】
ステップＳ０７〜Ｓ０８において、ユーザが所定時間内に操作部材の凸部、または領域７０のいずれかを操作したときは、ステップＳ０４に戻って、上述の処理を繰り返す。一方、ステップＳ０７〜Ｓ０８において、ユーザが所定時間内に操作部材の凸部、領域７０のいずれをも操作しなかったときは、ステップＳ０９において、選択操作を終了するために撮影条件表示を消去し、ステップＳ０２に戻って、撮影操作を待機する状態になる。
【００４８】
そして、ステップＳ１０において、パワーがオフされたときは、撮影条件選択処理を終了する。
【００４９】
〔第１の実施の形態のバリエーション１〕
第１の実施の形態のバリエーション１では、操作部材の凸部、領域７０のいずれの部位を操作しても独立した選択操作が行える点で第１の実施の形態と異なっている。
【００５０】
図９は、バリエーションに係る撮影条件表示選択操作の処理手順を示すフロー図である。
【００５１】
ステップＳ１５において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ１６で撮影操作を待機する状態になる。
【００５２】
ステップＳ１７〜Ｓ１８において、ユーザが操作部材の凸部を押したとき若しくは操作部材の領域７０に触れたときは、ステップＳ１９において、液晶モニタ３５にその操作部材に対応した機能メニューを表示する。そしてステップＳ２０において、ユーザが操作部材の凸部を押す毎に、あるいは、領域７０に触る毎にメニューに設けられた機能が択一的に変更して選択される。例えば、図４では、フラッシュの使用可能と使用禁止とが交互に選択される。
【００５３】
ステップＳ２１において、ユーザが所定時間内に操作部材の凸部、または領域７０のいずれかを操作したときは、ステップＳ１９に戻って、上述の機能変更処理を繰り返す。一方、ステップＳ２１において、ユーザが所定時間内に操作部材の凸部、領域７０のいずれをも操作しなかったときは、ステップＳ２２において、選択操作を終了するために撮影条件表示を消去し、ステップＳ１６に戻って、撮影操作を待機する状態になる。
【００５４】
そして、ステップＳ２３において、パワーがオフされたときは、撮影条件選択処理を終了する。
【００５５】
〔第１の実施の形態のバリエーション２〕
第１の実施の形態のバリエーション２では、操作部材の有効・無効を判断する点で第１の実施の形態と異なっている。例えば、図６の入力部２４には、基本機能に関する操作部材に加え「上級者モード」に対応する操作部材である、「ドライブ」、「測光」、「露出補正」、「ＩＳＯ」が表示されている。しかし、これらの操作部材は、図３の「初心者モード」においては有効な操作部材ではない。そこで、本バリエーションでは、ユーザが操作した操作部材が有効な場合に撮影条件選択処理を実行する。
【００５６】
図９は、バリエーションに係る撮影条件表示選択操作の処理手順を示すフロー図である。
【００５７】
ステップＳ２５において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ２６で撮影操作を待機する状態になる。
【００５８】
ステップＳ２７〜Ｓ２８において、ユーザが操作部材の凸部に触れたときは、その操作部材は有効かどうかを調べる。有効でなければ、ステップＳ２６に戻って、撮影操作を待機する状態になる。有効であれば、ステップＳ２９において、液晶モニタ３５にその操作部材に対応した機能メニューを表示する。ステップＳ３０〜Ｓ３１において、ユーザがその操作部材の領域７０に触れたときは、その領域７０に触る毎にメニューに設けられた機能が択一的に変更して選択される。例えば、図４では、フラッシュの使用可能と使用禁止とが交互に選択される。
【００５９】
ステップＳ３２〜Ｓ３３において、ユーザが所定時間内に操作部材の凸部、または領域７０のいずれかを操作したときは、ステップＳ２９に戻って、上述の処理を繰り返す。一方、ステップＳ３２〜Ｓ３３において、ユーザが所定時間内に操作部材の凸部、領域７０のいずれをも操作しなかったときは、ステップＳ３４において、選択操作を終了するために撮影条件表示を消去し、ステップＳ２６に戻って、撮影操作を待機する状態になる。
【００６０】
そして、ステップＳ３５において、パワーがオフされたときは、撮影条件選択処理を終了する。
【００６１】
〔第１の実施の形態のバリエーション３〕
第１の実施の形態のバリエーション３では、撮影に関する操作と撮影条件選択操作とが競合した場合の処理を含めた点で第１の実施の形態と異なっている。例えば、撮影条件選択操作中にレリーズボタン３７を操作したような場合である。本バリエーションにおいては、撮影に関する処理を優先して実行する。
【００６２】
図１１は、バリエーションに係る撮影条件表示選択操作の処理手順を示すフロー図である。
【００６３】
ステップＳ４０において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ４１で撮影操作を待機する状態になる。
【００６４】
ステップＳ４２〜Ｓ４３において、ユーザが操作部材の凸部に触れたときは、液晶モニタ３５にその操作部材に対応した機能メニューを表示する。ステップＳ４４〜Ｓ４５において、ユーザがその操作部材の領域７０に触れたときは、その領域７０に接触する毎にメニューに設けられた機能が択一的に変更して選択される。例えば、図４では、フラッシュの使用可能と使用禁止とが交互に選択される。
【００６５】
ステップＳ４６〜Ｓ４７において、レリーズ操作がされているときは、操作部材の感度を低く設定する。従って、レリーズ操作中において指などが操作部材に接触して誤操作となることを回避することができる。
【００６６】
ステップＳ４８〜Ｓ４９において、ユーザが所定時間内に操作部材の凸部、または領域７０のいずれかを操作したときは、ステップＳ４３に戻って、上述の処理を繰り返す。一方、ステップＳ４８〜Ｓ４９において、ユーザが所定時間内に操作部材の凸部、領域７０のいずれをも操作しなかったときは、ステップＳ５０において、選択操作を終了するために撮影条件表示を消去し、ステップＳ４１に戻って、撮影操作を待機する状態になる。
【００６７】
そして、ステップＳ５１において、パワーがオフされたときは、撮影条件選択処理を終了する。
【００６８】
なお、この撮影に関する操作と撮影条件選択操作とが競合した場合の処理は、図９に示す撮影条件選択処理についても同様に適用することができる。図１２に、その処理手順をフロー図として示しているが、上述の処理と同様の手順であるためその詳細の説明は省略する。
【００６９】
［第２の実施の形態］
第２の実施の形態では、入力部２４に設けられた操作部材の形状、あるいは構造が第１の実施の形態と異なっている。従って、第１の実施の形態と同一の部位には同一の符号を付してその詳細の説明は省略する。
【００７０】
図１３（１）は、デジタルカメラを背面より見た斜視図であり、図１３（２）は、操作部材２４ａの横断面図である。第２の実施の形態では、操作部材の立体形状は、三角柱体であり、この三角柱体の一つの面に他の面とは粗さの異なる処理が施された領域７０が設けられている。
【００７１】
三角柱体の断面形状を不等辺三角形として、面積の広い面を凸部に割り付け、面積の狭い面に領域７０を設ける。この形状を用いれば、凸部の操作が容易になる一方、領域７０に接触するためには、特別に指を動作させる必要があるため、凸部の操作中に領域７０の触れるといった誤操作の発生を避けることができる。なお、領域７０を山形状のふもと近傍に設けると、誤操作の発生防止には更に効果的である。
【００７２】
［第２の実施の形態のバリエーション１］
第２の実施の形態のバリエーション１では、入力部２４に設けられた操作部材の形状、あるいは構造が第２の実施の形態と異なっている。従って、第２の実施の形態と同一の部位には同一の符号を付してその詳細の説明は省略する。
【００７３】
図１４（１）は、デジタルカメラを背面より見た斜視図であり、図１４（２）は、操作部材２４ａの横断面図である。このバリエーションでは、第２の実施の形態で凸部として割り付けられた部分は、凹形の形状である。このバリエーションの形態によれば、凹部と指との接触感がより良くなるとともに、領域７０に接触するためには、特別に指を動作させる必要があるため、凸部の操作中に領域７０の触れるといった誤操作の発生を避けることができる。
【００７４】
［第２の実施の形態のバリエーション２］
第２の実施の形態のバリエーション２では、入力部２４に設けられた操作部材の形状、あるいは構造が第２の実施の形態と異なっている。従って、第２の実施の形態と同一の部位には同一の符号を付してその詳細の説明は省略する。
【００７５】
図１５（１）は、デジタルカメラを背面より見た斜視図であり、図１５（２）は、操作部材２４ａの横断面図である。このバリエーションでは、操作部材は三角柱台の形状、即ち、柱体の断面は台形である。
【００７６】
このバリエーションの形態によれば、凸部である台形の上面と指とが先ず接触するため操作し易くなるとともに、領域７０に接触するためには、特別に指を動作させる必要があるため、凸部の操作中に領域７０の触れるといった誤操作の発生を避けることができる。
【００７７】
［実施の形態の効果］
以上説明した各実施の形態によれば、次のような効果を奏する。
【００７８】
（１）入力面の表面を処理して複数種類の粗さを設けることにより、ユーザは操作位置の把握を確実に行うことができ、誤操作を抑制することができる。
【００７９】
（２）上述の表面処理に対応して、それぞれに異なる操作感度を割り付けることによって操作感の良い入力を行うことができる。
【００８０】
（３）操作部材を立体の形状とし、更に傾斜した部位の先端に粗度を大きくした第２の操作領域を設けたので、誤操作を少なくして確実な入力を行うことができる。
【００８１】
なお、本発明は上述の実施の形態に限定されず、その技術思想を逸脱しない範囲で種々の態様をとることができる。
【００８２】
例えば、操作部材の領域７０の表面処理は、摩擦係数を他の部分と異ならせるものであっても良い。また、操作部材の凸部と領域７０を異なる材質で構成し、触感を違えるようにしても良い。また、領域７０に周囲の領域と異なる色彩を付して視覚によって識別可能としても良い。
【００８３】
さらに、領域７０の表面処理方法は、その操作部材の機能単位に異なるものであっても良い。また、操作部材に複数の領域７０を設けても良い。
【００８４】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８５】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００８６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８７】
【図１】抵抗膜方式のタッチパネルの原理を説明する図。
【図２】第１の実施の形態の入力制御装置を備えたデジタルカメラの構成を示すブロック図。
【図３】デジタルカメラの背面図。
【図４】デジタルカメラの背面図。
【図５】デジタルカメラの背面図。
【図６】デジタルカメラの背面図。
【図７】入力部の構成を示す図。
【図８】撮影条件表示選択操作の処理手順を示すフロー図。
【図９】バリエーションに係る撮影条件表示選択操作の処理手順を示すフロー図。
【図１０】バリエーションに係る撮影条件表示選択操作の処理手順を示すフロー図。
【図１１】バリエーションに係る撮影条件表示選択操作の処理手順を示すフロー図。
【図１２】バリエーションに係る撮影条件表示選択操作の処理手順を示すフロー図。
【図１３】デジタルカメラを背面より見た斜視図。
【図１４】デジタルカメラを背面より見た斜視図。
【図１５】デジタルカメラを背面より見た斜視図。
【符号の説明】
【００８８】
１…デジタルカメラ、２１…表示部、２３…タッチパネル、２４…入力部、２７…モードスイッチ、２７ａ…使用者モードＳＷ、３０…ＣＰＵ、３５…液晶モニタ、７０…領域。
【図１】
2006201466.tif 000003
【図２】
2006201466.tif 000004
【図３】
2006201466.tif 000005
【図４】
2006201466.tif 000006
【図５】
2006201466.tif 000007
【図６】
2006201466.tif 000008
【図７】
2006201466.tif 000009
【図８】
2006201466.tif 000010
【図９】
2006201466.tif 000011
【図１０】
2006201466.tif 000012
【図１１】
2006201466.tif 000013
【図１２】
2006201466.tif 000014
【図１３】
2006201466.tif 000015
【図１４】
2006201466.tif 000016
【図１５】
2006201466.tif 000017